(57)【要約】      （修正有）【課題】表示性能、デザイン性能を備えるとともに楽しく使用できるケーキ等の収納箱を提供する。【解決手段】底部４とその周囲より立ち上がる周壁部とからなる上面が開放した箱本体８と、箱本体８上に装着される蓋体１０とからなる収納箱において、周壁部がその周方向において互いに分離する周壁部単体６ａ、６ｂ、６ｃ、６ｄよりなり、蓋体１０が取り外された状態において周壁部単体６ａ、６ｂ、６ｃ、６ｄそれぞれが外側に倒れ開く。【選択図】図２
0003170198.tif 000002
【実用新案登録請求の範囲】
【請求項１】
底部とその周囲より立ち上がる周壁部とからなる上面が開放した箱本体と、前記箱本体上に装着される蓋体とからなる収納箱において、
前記周壁部がその周方向において互いに分離する周壁部単体よりなり、前記蓋体が取り外された状態において前記周壁部単体それぞれが外側に倒れ開くことを特徴とする収納箱。
【請求項２】
平面形状が方形である請求項１記載の収納箱。
【請求項３】
相対する一対の周壁部単体の両側縁に、内方への折れ曲がり部が形成されてなる請求項２記載の収納箱。
【請求項４】
前記箱本体が一枚の厚みのあるシートよりなり、前記周壁部単体が前記底部から折り曲げられて形成され、その折り曲げが前記シートの外面に形成される切り込み部に沿ってなされてなる請求項２記載の収納箱。
【考案の詳細な説明】
【技術分野】
【０００１】  この考案は、ケーキ等の収納箱に関する。
【背景技術】
【０００２】  誕生日ケーキやクリスマスケーキを収納する箱は、現状においては収納機能のみを備えるだけである。
【考案の概要】
【考案が解決しようとする課題】
【０００３】  この考案では、表示性能、デザイン性能を備えるとともに楽しく使用できるケーキ等の収納箱を提供することを目的とする。
【課題を解決するための手段】
【０００４】  この考案では、底部とその周囲より立ち上がる周壁部とからなる上面が開放した箱本体と、前記箱本体上に装着される蓋体とからなる収納箱において、前記周壁部がその周方向において互いに分離する周壁部単体よりなり、前記蓋体が取り外された状態において前記周壁部単体それぞれが外側に倒れ開くことを特徴とする収納箱を提供する。【０００５】  上記構成の収納箱は、周壁部単体の内面に表示やデザイン模様を付しておくと、蓋体を取り外すことで周壁部単体のそれぞれが外側に倒れ開かれていく動作に伴ってそれら表示やデザイン模様が現れて驚きを一体とする楽しさが得られ、開いた後にはそれら表示やデザイン模様がケーキと一体となって豪華で楽しいトータルデザインを創り出す。【０００６】  収納箱はその平面形状を適宜としてよいが、ケーキ用としては方形のものが提供される。また、相対する一対の周壁部単体の両側縁に、内方への折れ曲がり部が形成されてなる構成とすることで、他の相対する周壁部単体は両側部がその折れ曲がり部それぞれの外面に沿う状態となることで内方のケーキ側に倒れることがない。くわえて、折れ曲がり部のそれぞれがあることで立設する周壁部単体それぞれの間に隙間が生じることがなくて外部から埃が内部に侵入することが阻止されるとともに、折れ曲がり部は補強材としても機能して収納箱を安定した構造とする。【０００７】  さらに、箱本体が一枚の厚みのあるシートよりなり、周壁部単体が底部から折り曲げられて形成され、その折り曲げがシートの外面に形成される切り込み部に沿ってなされる構成とされることで、周壁部単体のそれぞれが自由状態では容易に外側に倒れるようになる。【０００８】  この考案の収納箱は、誕生日ケーキやクリスマスケーキの収納用として、また、プレゼント用品の収納用等として適宜物品の収納に用いられる。
【考案の効果】
【０００９】  この考案によれば、表示性能、デザイン性能を備えるとともに楽しく使用できるケーキ等の収納に好適に用いられる収納箱が得られる。
【図面の簡単な説明】
【００１０】
【図１】  この考案の収納箱の実施形態の斜視図
【図２】  この考案の収納箱の実施形態の蓋体を外した際の斜視図
【図３】  この考案の収納箱の実施形態の箱本体の開き時の斜視図
【図４】  この考案の収納箱の実施形態の折り曲げ部の拡大断面図
【図５】  この考案の収納箱の実施形態の折り曲げ部の拡大断面図
【考案を実施するための最良の形態】
【００１１】  図１はこの考案の収納箱の実施形態の斜視図、図２は同実施形態の蓋体を外した際の斜視図である。収納箱１は平面形状が正方形で誕生日ケーキやクリスマスケーキを収納するように用いる。収納箱１は全体が厚紙製であり、底部４とその周囲より立ち上がる周壁部６とからなる上面が開放した箱本体８と、その箱本体８上に装着される蓋体１０とからなる。【００１２】  周壁部６を構成する４面の周壁（周壁部単体）６ａ、６ｂ、６ｃ、６ｄは互いが連結されることなく分離している。一対の周壁６ａ、６ｃそれぞれの上縁中央には係止部１２のそれぞれが一体に上方に突設され、さらに、周壁６ａ、６ｃには両側縁に沿って内方への折れ曲がり部１４が一体に設けられている。【００１３】  なお、図２では周壁６ａ、６ｂ、６ｃ、６ｄが立設された状態に示されているが、実際には上記したよう周壁６ａ、６ｂ、６ｃ、６ｄが分離していることで蓋体１０が装着されていない場合は、図３に示すように、外方に倒れて開き状態となる。蓋体１０が装着されることでそれに位置決めされて周壁６ａ、６ｂ、６ｃ、６ｄは外方に倒れ開くことが阻止され、さらに、係止部１２それぞれが蓋体１０の内側の対応する位置に設けられた係止穴１６それぞれに差し入れられて係止されることにより周壁６ａ、６ｃは所定位置に立設保持され、さらに、周壁６ｂ、６ｄはその側縁の内側が周壁６ａ、６ｃの折れ曲がり部１４の外面に沿う状態となることにより内側への倒れが阻止される。また、収納箱１の使用時においては、周壁６ａ、６ｃの内面にはデザイン模様３２が、周壁６ｂ、６ｄの内面には表示３０がそれぞれ付された状態とされる。【００１４】  図４に示すように、厚紙基材２０の外面の所定位置に沿って形成された切り込み部２２部分が開かれ折り曲げられることで底部４から周壁６ａ、６ｂ、６ｃ、６ｄのそれぞれが立ち上げられている。したがって、周壁６ａ、６ｂ、６ｃ、６ｄのそれぞれは蓋体１０の支持が解除されると自身の重量、さらには切り込み部２２の閉じ方向への復元力により矢印Ｘ方向に倒れ、図５に示すように、開き状態となる。【００１５】  収納箱１へのケーキの収納は、図３に示す状態において、その底部４上にケーキを置き、周壁６ａ、６ｂ、６ｃ、６ｄそれぞれを図２に示すよう立ち上げてその形態を維持しながら蓋体１０を装着して行う。【００１６】  このケーキを収納した状態においては、蓋体１０に上縁外面が支持されることで周壁６ａ、６ｂ、６ｃ、６ｄのそれぞれは外方に開き倒れることがなく、かつ、上記したように係止部１２それぞれが蓋体１０の係止穴１６それぞれに係止されることにより周壁６ａ、６ｃは所定位置にその立設状態が維持されるとともに、周壁６ｂ、６ｄは両側部が周壁６ａ、６ｃの折れ曲がり部１４に指示されて内方のケーキ側に倒れることがない。また、この状態においては折れ曲がり部１４のそれぞれがあることで立設する周壁６ａ、６ｂ、６ｃ、６ｄのそれぞれの間が閉ざされてそこに隙間が生じることがなく、外部から埃が内部に侵入することが阻止される。くわえて、折れ曲がり部１４は補強材としても機能して収納箱１を安定した構造として歪み等の発生を防止する。【００１７】  ケーキが収納された状態で蓋体１０を取���外すと、蓋体１０による支持がなくなることで周壁６ａ、６ｂ、６ｃ、６ｄのそれぞれは外方に倒れ開き、その開かれていく動作に伴って周壁６ａ、６ｂ、６ｃ、６ｄの内面に付されている「Ｈａｐｐｙ  ｂｉｒｔｈ  ｄａｙ」「Ｍｅｒｒｙ  Ｃｈｒｉｓｔｍａｓ」の表示３０や花柄等のデザイン模様３２が中央に置かれるケーキの周囲に現れる。上記の開かれていく動作に伴って表示３０やデザイン模様３２が現れる際には驚きを一体とする楽しさが得られ、開いた後にはそれらの表示３０やデザイン模様３２が中央のケーキと一体となって豪華で楽しいトータルデザインを作り出しその場の雰囲気が盛り上げられる。上記の表示３０やデザイン模様３２はケーキの注文時、購入時における購入者の希望に沿ってケーキ店により適宜付設されてもよく、また、購入者により直接書かれたり、シール等が貼られて設けられてもよい。
【符号の説明】
【００１８】  １  収納箱
４  底部
６  周壁部
６ａ  周壁部単体（周壁）
６ｂ  周壁部単体（周壁）
６ｃ  周壁部単体（周壁）
６ｄ  周壁部単体（周壁）
１０  蓋体
【図１】
0003170198.tif 000003
【図２】
0003170198.tif 000004
【図３】
0003170198.tif 000005
【図４】
0003170198.tif 000006
【図５】
0003170198.tif 000007